(57)【要約】【目的】様々な厚さを有する既存の商品陳列棚に挟み付けて使用することのできる平棚板ホルダー型トレーを提供する。【解決手段】平棚板ホルダー型トレーが、上顎プレート２、及び該上顎プレート２と７０°〜９０°の角度をなすように該上顎プレート２の一辺縁付近に一体的に接続されている商品情報表示プレート３からなる本体１と、下顎プレート４と、を備え、商品情報表示プレート３は、表面と裏面を有し、該裏面に、複数の第１の係合部３ａが上下方向に所定の間隔をおいて配設されており、下顎プレート４の一辺縁に沿って、複数の第１の係合部３ａのうちのいずれとも係合可能に構成された第２の係合部４ａが形成されており、複数の第１の係合部３ａのうちの１つと下顎プレート４の第２の係合部とが係合したときに、下顎プレート４が片持ち支持されて下顎プレート４の上面と上顎プレート２の下面とが向き合うように複数の第１の係合部３ａと第２の係合部４ａが配置されている。【選択図】  図７
2017209435.tif 000002
【特許請求の範囲】
【請求項１】
様々な厚さを有する商品陳列棚に挟み付けて使用することのできる平棚板ホルダー型トレーであって、
上顎プレート、及び該上顎プレートと７０°〜９０°の角度をなすように該上顎プレートの一辺縁付近に一体的に接続されている商品情報表示プレートからなる本体と、
下顎プレートと、
を備え、
上記商品情報表示プレートは、商品関連情報を示すために使用され得る表面、及び表面とは反対側の裏面を有し、該裏面に、複数の第１の係合部が上下方向に所定の間隔をおいて配設されており、
上記下顎プレートの一辺縁に沿って、上記複数の第１の係合部のうちのいずれとも係合可能に構成された第２の係合部が形成されており、
上記複数の第１の係合部のうちの１つと上記下顎プレートの第２の係合部とが係合したときに、上記下顎プレートが片持ち支持されて該下顎プレートの上面と上記上顎プレートの下面とが向き合うように上記複数の第１の係合部と第２の係合部が配置されていることを特徴とする平棚板ホルダー型トレー。
【請求項２】
上記複数の第１の係合部の各々と、上記下顎プレートの一辺縁に沿って形成された第２の係合部とが、側面視でＬ字形の形状に形成された互いに係合可能な突起からなることを特徴とする請求項１に記載の平棚板ホルダー型トレー。
【請求項３】
上記本体及び下顎プレートのうちの少なくとも一方が可撓性を有する材料から形成されていることを特徴とする請求項１又は請求項２に記載の平棚板ホルダー型トレー。
【請求項４】
上記上顎プレートの下面に、柔軟性を有する素材からなる複数の滑り止めリブ体が所定の間隔をおいて配設されており、
上記下顎プレートの上面に、柔軟性を有する素材からなる複数の滑り止めリブ体が所定の間隔をおいて配設されていることを特徴とする請求項１〜３のいずれかに記載の平棚板ホルダー型トレー。
【請求項５】
上記上顎プレートのエッジを覆うように、上記上顎プレートのエッジに沿って軟質の滑り止めリブ体が形成されていることを特徴とする請求項１〜４のいずれかに記載の平棚板ホルダー型トレー。
【発明の詳細な説明】
【技術分野】
【０００１】
本発明は、概して、平棚板ホルダー型トレーに関し、詳しくは、様々な厚さを有する商品陳列棚に挟み付けて使用することのできる平棚板ホルダー型トレーに関する。
【背景技術】
【０００２】
いわゆるホームセンターや小売店などの店舗において使用されている商品陳列用の平棚は、ガラス、木、スチールなど種々の素材からなるものが使用されており、各店舗によって棚板の厚さも様々に異なっている。
【０００３】
特許文献１に示される従来の商品陳列用トレーは、商品の名称や価格などの商品関連情報を表示したカードを収容するための商品情報展示部を備え、例えば、衣料品の商品について使用される場合には、衣料品を載せる一方で、衣料品の値段を表示する役割をする。このような商品陳列用トレーは、例えば買い物客などが衣料品を手に取って見ようとするときに衣料品に引きずられて床に落ちてしまう心配があるので、滑り止め用テープ等を使って商品陳列棚の棚板面に貼り付けて使用されることも多い。しかし、滑り止め用テープを使うと見栄えが悪くなり、またテープを剥がしたときに商品陳列棚の棚板面に跡が残ってしまうという問題がある。
【０００４】
商品陳列棚には、スチール製、木製さらにはガラス製などがあり、上述したように棚板の上に滑り止め用テープを使って商品陳列用トレーを固定しようとしても、ともすれば商品陳列棚に表面処理が施されていて滑り止め用テープが剥がれてしまうこともある。
【先行技術文献】
【特許文献】
【０００５】
【特許文献１】特開２００７−１６７３７２号公報
【特許文献２】特許第５４２７１５７号公報
【発明の概要】
【発明が解決しようとする課題】
【０００６】
様々な厚さを有する商品陳列棚に挟み付けて使用することのできる商品陳列棚トレーつまり平棚板ホルダー型トレーがあると便利である。
【課題を解決するための手段】
【０００７】
様々な厚さを有する商品陳列棚に挟み付けて使用することのできる平棚板ホルダー型トレーであって、上顎プレート、及び該上顎プレートと７０°〜９０°の角度をなすように該上顎プレートの一辺縁付近に一体的に接続されている商品情報表示プレートからなる本体と、下顎プレートと、を備え、商品情報表示プレートは、商品関連情報を示すために使用され得る表面、及び表面とは反対側の裏面を有し、該裏面に、複数の第１の係合部が上下方向に所定の間隔をおいて配設されており、下顎プレートの一辺縁に沿って、複数の第１の係合部のうちのいずれとも係合可能に構成された第２の係合部が形成されており、複数の第１の係合部のうちの１つと下顎プレートの第２の係合部とが係合したときに、下顎プレートが片持ち支持されて下顎プレートの上面と上顎プレートの下面とが向き合うように複数の第１の係合部と第２の係合部が配置されていることを特徴とする平棚板ホルダー型トレーを提供する。
【０００８】
一実施例においては、複数の第１の係合部の各々と、下顎プレートの一辺縁に沿って形成された第２の係合部とが、側面視でＬ字形の形状に形成された互いに係合可能な突起からなることを特徴とする。
【０００９】
一実施例においては、本体及び下顎プレートのうちの少なくとも一方が可撓性を有する材料から形成されていることを特徴とする。
【００１０】
一実施例においては、上顎プレートの下面に、柔軟性を有する素材からなる複数の滑り止めリブ体が所定の間隔をおいて配設されており、下顎プレートの上面に、柔軟性を有する素材からなる複数の滑り止めリブ体が所定の間隔をおいて配設されていることを特徴とする。
【００１１】
一実施例においては、上顎プレートのエッジを覆うように、上顎プレートのエッジに沿って軟質の滑り止めリブ体が形成されていることを特徴とする。
【発明の効果】
【００１２】
本発明の平棚板ホルダー型トレーは、商品陳列棚の棚板を挟み付ける上顎プレートと下顎プレートとの間隔を調節することができるように構成されており、平棚板ホルダー型トレーの本体と下顎プレートのうちの少なくとも一方が可撓性を有するプラスチック等から形成されている。これにより、どのような厚さを有する商品陳列棚にも挟み付けるようにして使用することができる。一実施例においては、平棚板ホルダー型トレーの本体に５ｍｍ間隔で第１の係合部が配設されていて、約５ｍｍ〜約３０ｍｍの厚さを有する棚板に使用することができる。他の実施例においては、本発明の平棚板ホルダー型トレーは、約４ｍｍの薄いガラス製の棚にも使用することができるように第１の係合部と第２の係合部が配置されている。さらに他の実施例においては、本発明の平棚板ホルダー型トレーは、３０ｍｍ以上の厚さを有する棚板にも使用することができるように第１の係合部と第２の係合部が配置されている。
【図面の簡単な説明】
【００１３】
【図１】本発明の平棚板ホルダー型トレーの一実施例を示す側面図。
【図２】下顎プレートが取り外された状態の平棚板ホルダー型トレーを側方から示す図。
【図３】上顎プレートの一部を拡大して示す図。
【図４】下顎プレートが取り外された状態の平棚板ホルダー型トレーを斜め後方から示す斜視図。
【図５】本発明の平棚板ホルダー型トレーの商品情報表示プレートを前方から示す図。
【図６】本発明の平棚板ホルダー型トレーの本体を下方から示す図。
【図７】本発明の平棚板ホルダー型トレーを商品陳列棚に設置する方法を示す図。
【図８】図７（ｂ）の一部を拡大して示す図。
【図９】他の実施例における第１の係合部と第２の係合部の形状を示す図。
【図１０】本発明の平棚板ホルダー型トレーを示す参考斜視図。
【発明を実施するための形態】
【００１４】
本発明の平棚板ホルダー型トレーについて、添付の図を参照しつつ具体例に基づいて説明する。
【００１５】
図１は、本発明の平棚板ホルダー型トレーの側面図である。本発明の平棚板ホルダー型トレーは、商品載置面を上面とする上顎プレート２、及び該上顎プレート２の一辺縁付近からほぼ垂直下方へ延在する商品情報表示プレート３からなる本体１と、下顎プレート４と、から構成されている。
【００１６】
図１に示される本発明の平棚板ホルダー型トレーにおいて、本体１の上顎プレート２が商品陳列棚の上に配置されるべき部分であり、下顎プレート４は、本体１とは別体として形成されている。本発明の平棚板ホルダー型トレーは、商品情報表示プレート３の裏面３ｂに複数の第１の係合部３ａが配設されており、これらの第１の係合部のいずれか１つと、下顎プレート４の一辺縁付近に形成されている第２の係合部４ａとが互いに係合したときに、下顎プレート４を片持ち支持することができるように構成されている。
【００１７】
図２は、商品情報表示プレート３の裏面に形成された複数の第１の係合部３ａのうちの１つから下顎プレート４が取り外された状態を示す側面図である。
【００１８】
図３は、上顎プレート２を拡大して示す図である。一実施例においては、上顎プレート２の一辺縁（エッジ）に沿って軟質の滑り止めリブ体２ａａが形成されている。この滑り止めリブ体２ａａは、上顎プレート２のエッジを覆うように上面まで延在している。このように上顎プレート２のエッジが軟質のリブ体２ａａで覆われていることにより、例えば、本発明の平棚板ホルダー型トレーを衣料品と一緒に取り扱う際に、上顎プレートの辺縁で衣料品の繊維を傷つけてしまうことがない。
【００１９】
図４は、本発明の平棚板ホルダー型トレーを斜め後方から見た斜視図である。側面視で逆Ｌ字形の形状に形成された複数の第１の係合部３ａのうちの１つと、側面視でＬ字形の形状に形成された第２の係合部４ａとを互いに係合させる（噛み合わせる）ためには、図４において矢印Ａで示される方向に、下顎プレート４をスライド（摺動）させるとよい。
【００２０】
一実施例においては、上顎プレート２と下顎プレート４との間隔を６段階に調節することができるように、商品情報表示プレート３の裏面に７つの第１の係合部３ａが等間隔に配置されている（図４を参照）。他の実施例においては、上顎プレート２と下顎プレート４との間隔を７段階以上に亘って調節することができるように、商品情報表示プレート３の裏面に８つ以上の第１の係合部３ａが等間隔に配置されている場合もある。
【００２１】
図５は、本発明の平棚板ホルダー型トレーの商品情報表示プレート３を前方から示している。商品情報表示プレート３に、例えば商品情報カードを取り付けることができる。
【００２２】
図６は、本発明の平棚板ホルダー型トレーの本体１を下方から示している。
【００２３】
図７は、本発明の平棚板ホルダー型トレーを商品陳列棚に設置する方法を示す。図７に示されるように、商品情報表示プレート３の裏面に形成された複数の第１の係合部３ａのうちの１つと、下顎プレート４の第２の係合部４ａとが係合したときに、下顎プレート４が片持ち支持されて該下顎プレート４の上面と上顎プレート２の下面とが向き合う。
【００２４】
図７（ａ）に示される矢印Ｂ方向に平棚板ホルダー型トレーの本体１を押し進めると、可撓性に優れた下顎プレート４が商品陳列棚５の棚板の厚さに応じて下方へ撓みつつ、下顎プレート４の上面に形成された滑り止めリブ体４ｃ，４ｄが、下顎プレート４の移動方向とは反対の方向に倒れる。また、上顎プレート２の下面に形成された滑り止めリブ体２ａも、上顎プレート２の移動方向とは反対の方向に倒れて、上顎プレート２と下顎プレート４とで商品陳列棚５の棚板を適度な大きさの力で挟んだ状態となる。
【００２５】
上顎プレート２及び下顎プレート４の少なくとも一方が可撓性を有する実施例においては、上顎プレート２と商品情報表示プレート３とのなす角の大きさを７０°以上９０°未満として本体１を構成してもよい（この構成では、商品情報表示プレートを垂直に立てると上顎プレートが少し俯き加減となる）。この構成においては、上顎プレート２及び下顎プレート４のうちの少なくとも一方が可撓性を有することにより、商品陳列棚５の棚板に本発明の平棚板ホルダー型トレーを挟み付けるときに、上顎プレート２と下顎プレート４との間が拡開され、可撓性の元の状態に戻ろうとする力の作用で、棚板によく挟み付いて離れにくくなる。
【００２６】
図８に示される実施例においては、第１の係合部３ａが側面視で先端３ｃを下に向けた鉤形の形状（つまりＬ字形を１８０°回転させた形状）に形成されている一方で、下顎プレート４の一辺縁に沿って形成された第２の係合部４ａが側面視でＬ字形の形状に形成されている。
【００２７】
一実施例においては、下顎プレート４が完全に真直ぐに形成されているのではなくて、複数の第１の係合部３ａのいずれか１つに下顎プレート４が係合されたときに、下顎プレート４の先が水平面よりも少し上方を向くように、該下顎プレート４の一辺縁付近で少しだけ折れ曲がっているとよい（図８において第２の係合部４ａ付近を参照）。
【００２８】
図９に示される他の実施例においては、第１の係合部３ａが側面視で端部３ｃを上に向けた鉤形の形状（つまりＬ字形を反時計回りに９０°だけ回転させた形状）に形成されている一方で、下顎プレート４の一辺縁に沿って形成された第２の係合部４ａが側面視でＬ字形を時計回りに９０°だけ回転させた形状に形成されている。
【００２９】
図９（ａ）は、下顎プレート４が取り外された状態を示している。図９（ｂ）は、複数の第１の係合部３ａのうちの１つに、下顎プレート４の一辺縁に沿って形成された第２の係合部４ａが取り付けられている状態を示している。
【００３０】
一実施例においては、平棚板ホルダー型トレーの上顎プレート２の下面に、柔軟な素材からなる複数の滑り止めリブ体２ａが並設されており、これらのリブ体２ａは、該上顎プレート２の下面とリブ体２ａとの間のなす角が約６０°となるように、上顎プレート２の下面から斜めに延在している（図３を参照）。また、下顎プレート４の上面に、柔軟な素材からなる２つの滑り止めリブ体４ｃ，４ｄが並設されており、これらの滑り止めリブ体４ｃ，４ｄは、該下顎プレート４の上面とリブ体４ｃ，４ｄとの間のなす角が約６０°となるように、下顎プレート４の上面から斜めに延在している（図１を参照）。
【００３１】
本発明の平棚板ホルダー型トレーにおける滑り止めリブ２ａ，４ｃ，４ｄは、柔軟性を有する素材から形成されているとよい。例えば、滑り止めリブは、軟質のポリ塩化ビニルから形成されているとよい。これにより、例えば図８において矢印Ｃで示される横方向の力が平棚板ホルダー型トレーに作用したときにも、上顎プレート２の下面に並設された滑り止めリブ体２ａと、下顎プレート４の上面に並設された滑り止めリブ体４ｃ，４ｄとが棚板の上面又は下面に押し付けられるように倒れていることにより、滑り止めリブ体４ｃ，４ｄと商品陳列棚５の棚板との間の静止摩擦力が高められている（特許文献２を参照）。よって、本発明の平棚板ホルダー型トレーは、商品陳列棚５の棚板を挟み付けているときに引っ張られたとしても、商品陳列棚５の棚板から抜け落ちてしまうことがほとんどない。
【００３２】
一実施例においては、平棚板ホルダー型トレーにおける上顎プレート２、商品情報表示プレート３、下顎プレート４、滑り止めリブ体２ａ及び滑り止めリブ体４ｃ，４ｄのすべてが透明ないし半透明に形成されている場合もある。平棚板ホルダー型トレーの全体が透明ないし半透明に形成されている場合には、平棚板ホルダー型トレー越しに向こう側が透けて見えるので、商品陳列棚５に平棚板ホルダー型トレーを取り付け易いという利点がある。
【００３３】
本発明の平棚板ホルダー型トレーの本体１は、各構成要素（上顎プレート２、商品情報表示プレート３、滑り止めリブ体２ａ）が押出成形によって一体に形成されてなる場合もあれば、各構成要素が接着剤等を使って一体に接着されてなる場合もあり得る。押出成形によって一体に形成される一実施例においては、各構成要素のうち、上顎プレート２と商品情報表示プレート３が硬質のポリ塩化ビニルから形成され、滑り止めリブ２ａが軟質のポリ塩化ビニルから形成され得る。他の実施例においては、平棚板ホルダー型トレーの本体１の各構成要素がＡＢＳ樹脂で形成されている場合もある。
【００３４】
図１０は、本発明の平棚板ホルダー型トレーを示す参考斜視図である。
【符号の説明】
【００３５】
２…上顎プレート
２ａ…滑り止めリブ体
２ａａ…滑り止めリブ体
３…商品情報表示プレート
３ａ…第１の係合部
３ｂ…裏面
３ｃ…（第１の係合部の）先端
４…下顎プレート
４ａ…第２の係合部
４ｃ…滑り止めリブ体
４ｄ…滑り止めリブ体
５…商品陳列棚
５ａ…棚面
【図１】
2017209435.tif 000003
【図２】
2017209435.tif 000004
【図３】
2017209435.tif 000005
【図４】
2017209435.tif 000006
【図５】
2017209435.tif 000007
【図６】
2017209435.tif 000008
【図７】
2017209435.tif 000009
【図８】
2017209435.tif 000010
【図９】
2017209435.tif 000011
【図１０】
2017209435.tif 000012